(57)【要約】【課題】子供達や経験のない大人でも楽しむことができ、しかも、安全に遊ぶうちに、身体の動かし方を自然と身に付けることができる壁面運動装置を提供する。【解決手段】壁面に設けられている突起部を足掛り又は手掛りに利用して、上記壁面を移動する運動に使用する装置として、手掛りとなる手段１５として壁面に係合軸１７を取り付け、その係合軸１７に対して容易に着脱できるハンドルを備えているものとする。【選択図】          図２
2011078694.tif 000002
【特許請求の範囲】
【請求項１】
壁面に設けられている突起部を足掛り又は手掛りに利用して、上記壁面を移動する運動に使用する装置であって、手掛りとなる手段として壁面に係合軸を取り付け、その係合軸に対して容易に着脱できるハンドルを備えていることを特徴とする壁面運動装置。
【請求項２】
壁面に多数のボルト挿通孔が形成されており、それらの中から任意のボルト挿通孔を選択し、選択されたボルト挿通孔に取り付けたボルトを手掛りとなる係合軸とするとともに、上記ボルト挿通孔に取り付けたボルトを用いて足掛りとなる足掛り突起部を取り付けるものとし、かつ、ボルト挿通孔に取り付けるボルトの取り付け位置を移設可能とした請求項１記載の壁面運動装置。
【請求項３】
ボルト挿通孔に取り付けた係合軸に掛ける係止部を有するマーカーを備えている請求項１記載の壁面運動装置。
【請求項４】
壁面は、左右方向又は上下方向の波状の凹凸を有する全体として２次元平面の壁面、上部にオーバーハングを有する壁面、壁全体が３次元構造を有する立体的な壁面から成る請求項１記載の壁面運動装置。
【発明の詳細な説明】
【技術分野】
【０００１】
本発明は、壁面に設けられている突起部を利用して、上記壁面を移動する運動に使用する装置に関するものである。
【背景技術】
【０００２】
例えばクライミングウォールと称して、壁面を伝い登るためにホールドとして突起部を設けた人工登攀用のスポーツ設備が普及している。クライミングウォールには子供だけでなく大人も興味を示す傾向があり、また、全身を使うこと、動作の連続が必要なこと、バランス感覚が養われることなどから、彼らの心身の発育にも有用であると考えられる。
【０００３】
上記の点に着目した遊戯具に実開昭６３−１５８３５８号の考案があり、同考案は傾斜板とそれを支持する枠状フレームとを山形に組み合わせ、傾斜板の表面に登降の手掛り又は足掛りとなる突起を複数箇所、所要間隔をおいて配設し、枠状フレームには登降用ネットを張った構成を有している。上記突起は一定の箇所に固定されており、幼児の遊戯用としては有効と思われるが、子供たちにはやがて飽きられてしまう恐れがあり、運動用としても十分とはいえない。
【０００４】
特開平１０−２７７１８９号の発明は、子供や経験のない者でも楽しむことができる壁登り遊戯具を提供することを目的としたものであり、登降の際の手掛り足掛りとなるホールドを複数種類備え、そのホールドをパネル表面（人工壁面）に着脱交換可能に設け、かつまた、ホールドの傾斜方向（傾斜角度）を変更し得るという構成を備えている。しかしながら、ホールドはその傾斜を変更する必要上１本のボルトで壁面に取り付けて回転させる構成を取っており、固定の仕方が不十分な場合など状況によってはホールドが回転してしまう恐れがあり安全上問題無しとしない。また、壁面全体に同じようなホールドを配置するという構造上、子供や経験のない者にとっては、どこから取り付いたら良いのか迷う可能性もある。
【０００５】
【特許文献１】実開昭６３−１５８３５８号
【特許文献２】特開平１０−２７７１８９号
【発明の開示】
【発明が解決しようとする課題】
【０００６】
本発明は前記の点に着目してなされたもので、その課題は、子供達や経験のない大人でも楽しむことができ、しかも、安全に遊ぶうちに、身体の動かし方を自然と身に付けることができる壁面運動装置を提供することである。また、本発明の他の課題は、子供たちの体力の増強と知力の養成を図ることができる壁面運動装置を提供することである。
【課題を解決するための手段】
【０００７】
前記の課題を解決するため、本発明は、壁面に設けられている突起部を足掛り又は手掛りに利用して、上記壁面を移動する運動に使用する装置であって、手掛りとなる手段として壁面に係合軸を取り付け、その係合軸に対して容易に着脱できるハンドルを備えているものとするという手段を講じたものである。
【０００８】
本発明の装置において、本発明の装置における壁面はいわゆる人工壁面であり、従ってほぼ垂直に配置されることを予定しているが、ある程度の傾斜を伴って設置することを妨げるものではない。また、壁面に設けられる突起部は足掛り又は手掛りとなるものであるから、クライミングウォールにおけるホールドと同じ意味合いを持つ。
【０００９】
本発明の装置は、足掛り又は手掛りに利用する手段を有するものであるが、特に手掛りとなる手段への取り付き方法に特徴を有しており、具体的には手掛り手段の係合軸として壁面に有頭のボルトを取り付け、その有頭のボルトに対して容易に着脱できるハンドルを備えていることを特徴とする。足掛りとなるのは足を掛けることができる突起部、手掛りとなるのは有頭のボルトであり、有頭のボルトにハンドルを掛け止めてホールドとするものである。
【００１０】
本発明の装置では、壁面移動の手掛りとなる手段又は足掛りとなる突起部を壁面に取り付けるために、ボルト挿通孔を突起部の一方として設けている。ボルト挿通孔は壁面のほぼ全面に多数形成されており、かつ、隣接する相互のボルト挿通孔は所定の間隔で設けられている。それらのボルト挿通孔は、例えば一定の間隔１ｄ、または、その整数倍の間隔２ｄ、３ｄ・・・で設けることが望ましい。ボルトを使用するのであるから、ナットを併用することは当然である。このようにして、壁面のほぼ全面に多数箇所のボルト挿通孔が形成され、それらの中から任意のボルト挿通孔を選択し、選択されたボルト挿通孔に挿通するボルトによって、手掛りとなる手掛り手段を取り付け、或いは、足掛りとなる足掛り突起部を取り付けることができる。従って、ボルト挿通孔に取り付けるボルトの取り付け位置を移設可能とする構成を取ることができる。またこの構成によれば、足掛り突起部をボルトで固定するので、安定した足場を提供することが可能になり、安全面でも有効性が得られる。
【００１１】
本発明の装置では、ある位置においてプレーヤーが両手両足をそれぞれの突起部に掛けている体勢から３点確保の状態に移り、移動しようとする方の手に持っているハンドルを係合している係合軸から外し、目的とする次の係合軸に係合させ、それによって移動後の位置における身体の安定を確保し、以下同様の動作を繰り返して壁面を移動していくことができる。ハンドルを係合軸に対して容易に着脱する手段としては実施形態記載の如く、ボルトに通す透孔をハンドルに形成する例を挙げることができるが、透孔でなく凹状の穴でも良い。
【００１２】
壁面に係合軸として設けた有頭のボルトに対して、その軸部に掛ける係止部を有するマーカーを併用することができる。マーカーは係合軸の位置を示す目印であり、例えば赤色のマーカーを、想定する移動ルートに沿う係合軸に掛けて置き、マーカーのある係合軸を順次たどって移動することを課題とするような遊び方が可能になる。また、移動ルートによって難易度のランク付けを行い、達成感を高めるという指導法を取ることも、知力を養成し、段階的に体力を増強する上で有効である。なお、本発明における運動装置では、壁面のトラバースつまり横伝いをし易いように設定すると、体重移動の感覚を養う上で有効であるが、これに限られるものではなく壁面の昇り降りをし易く設定すること、或いは両方の組み合わせが可能である。
【００１３】
上記壁面については、左右方向又は上下方向の波状の凹凸を有する全体として２次元平面の壁面、上部にオーバーハングを有する壁面、全体が３次元構造を有する立体的な壁面などの中から任意に選択することができる。このような壁面は、自立構造とする場合と、他の構造体に取り付ける場合といずれも可能であるが、図示の実施形態においては他の構造体に取り付ける例を示している。また、本発明の装置は、子供達が壁面の手掛り、足掛りを伝って移動するのであるから、途中で落ちることも当然考慮に入れる必要があり、この対策として本発明の装置では、壁面の正面床に敷くマットを併用することが望まれる。
【発明の効果】
【００１４】
本発明は以上のように構成されかつ作用するものであるから、子供達や経験のない大人のプレーヤーが、足は足掛り用の突起部に乗せ、手はハンドルを使って軸部に対する係合と離脱を繰り返して、しかも、安全に遊ぶうちに、身体の動かし方を自然と身に付けることができる壁面運動装置を提供することができるという効果を奏する。また、本発明によれば、子供たちの体力の増強と知力の養成を図ることができる壁面運動装置を提供することができる。
【発明を実施するための最良の形態】
【００１５】
以下図示の実施形態を参照して本発明をより詳細に説明する。図１は本発明に係る壁面運動装置１０の一例を示す正面図であり、１１はパネルから成る壁面、即ち壁面パネルである。壁面パネル１１は、繊維強化プラスチック（ＦＲＰ）を素材に用いて型成形したもので、少なくとも二人の成人プレーヤー、望ましくそれ以上の人数の成人プレーヤーの体重を支えられる構造強度を有しており、かつ荷重によって変形しないことが望ましい。図示の例における壁面パネル１１は２次元構造の平面的な壁面から成り、周縁部分にフランジ部１２を有する扁平な形態を有しており、また、本実施形態の装置１０を他の構造体に取り付けるために、取り付け手段として必要数の取り付け通孔１３をフランジ部１２に所要の間隔で形成している。
【００１６】
上記壁面パネル１１は複数部分から構成され、必要個数の構成部分を連結して組み立てられているが、各構成部分は相互に完全に締結されていて、全体として一体の構造を保持している。壁面パネル１１は本発明の壁面運動装置１０の構成面であると同時に、子供達にとっては遊び場にもなり、色彩やデザインによって利用されにくくなっては困るので、壁面には、魅力のある色彩や図柄にデザインされた装飾を取り入れることが望まれる。
【００１７】
そのため図示の例においては壁面１１ａを空色で塗装し、その下部に足掛りとなる突起部１４を雲の形に形成して、プレーヤーＰの動きが雲を踏んで空を歩くイメージを与えるように図っている（図８参照）。雲形の足掛り突起部１４は、プレーヤーＰの体重を支える強度と足を乗せやすい形状を備えるようにプラスチック成型によって形成されている。１４ａは取り付けのために周縁のフランジ部に複数開けられているボルト通し孔を示す。壁面移動の足掛りとなる突起部１４又は手掛りとなる手段１５を壁面パネル１１に取り付けるために、多数のボルト挿通孔１６を壁面の下部から上部に至る壁面のほぼ全面に設けている。なお、足掛りとなる突起部１４又は手掛りとなる手段１５には、成人男性平均体重の２倍程度の荷重に耐える強度が必要である。
【００１８】
足掛り突起部１４に対する取り付け手段としてのボルト挿通孔１６は、壁面のほぼ全面に亘って設けられており、それらの中から選択したボルト挿通孔１６に足掛り突起部１４を壁面に取り付ける手段であるボルト１８を挿通し、壁面パネル１１の裏面側に配置するナット１９を用いて足掛り突起部１４をボルト止めして安定した足場を提供している（図４Ｂ参照）。
【００１９】
足掛り突起部１４としては、例えば３０ｍｍ程度壁面から出ていれば十分であり、出過ぎていると安定過ぎて緊張感がなくなるが、要求する難易度に応じて３０ｍｍ程度より大きくも小さくも設定することができる。足掛り突起部１４は、壁面パネル１１の正面においてプレーヤーの足が届く範囲に左右方向へ分散するとともに、上下に何段かの高低差を生じるように配置することが望ましい。隣接するボルト挿通孔１６は、相互に一定の間隔１ｄ又はその整数倍の間隔２ｄ、３ｄ・・・で配置されているものを含む。従って、足掛り突起部１４及び手掛り手段１５の取り付け位置は、他のボルト挿通孔１６の位置に移動することができ、このような配置変更によって、トラバースルートを変えたり難易度を変えたりすることが可能になる。
【００２０】
手掛り手段１５における取り付け手段は、壁面に係合軸として設置した複数箇所の有頭のボルト１７から成り（図５参照）、その有頭のボルト１７と係合して手掛り手段１５としてハンドルが有頭のボルト１７に対して容易に着脱できるように設けられている（図６参照）。１７ａはボルトの頭部、１７ｂはおねじ部、２０はナットを示しており、ナット２０は壁面パネル１１の裏面に固定されている。
【００２１】
有頭のボルト１７に対して容易に着脱できるハンドルは、図７に詳細に示したように係合片２１の一端部にほぼ直角に取り付けたグリップ２２を備えており、係合片の他端部には係合孔２３が形成されている。係合孔２３は、ボルト１７の頭部１７ａを挿通する大径部２３ａとボルト１７のおねじ部１７ｂに係合する小径部２３ｂから成っている。手掛り手段１５は、これを係合させる有頭のボルト１７の頭部１７ａと壁面との間隔よりもある程度は大きい板厚を有するものとする（図５Ｂ）参照。上記間隔が板厚よりも大き過ぎると遊びによるガタがひどくなるから、マーカー２４とともに使用できる程度の間隔−板厚の関係にする。  
【００２２】
壁面に係合軸として取り付けた有頭のボルト１７には、そこに挿通して掛けるための係止部２４ａを有するマーカー２４を使用することができる（図２、図８参照）。図示のマーカー２４は、有頭のボルト１７のボルト頭部１７ａに挿通可能な口径を有する、開口部２４ａを中心に有する円形のもので、赤、黄、白その他の色彩に着色されており、任意の有頭のボルト１７を選んで掛けてルートを作るようにして使用する（図８Ｂ、Ｃ参照）。
【００２３】
例えば、図８Ａにおいて、緑色のマーカー２４（Ｇ）は低い位置にあるが、白色のマーカー２４（Ｗ）は最も高い位置にあるので難易度が高く、上段の足掛り突起部１４に足を掛けなければならないという具合のルート作りに使用することができる。また、本発明の装置１０では、壁面の正面床に敷くマット２５を併用する。このマット２５は壁面パネル１１と構造上一体である必要はないが、使用上は壁面パネル１１と一体の安全装置をして機能するものでなければならない。
【００２４】
本発明の壁面運動装置１０は上記のように構成されており、手掛り突起部１５としてのハンドルを両手に持って、一方のハンドルの係合孔２３を手の届く位置にある軸部１７に通し係合させてから、足を足掛り突起部１４に乗せかつその上に立ち上がるようにし、両足と片手の３点で身体を確保する体勢を取る。ついで、両手と片足による３点確保の状態を作るとともに、移動方向にある足を次の足掛り突起部１４に乗せ、離れている位置にあるハンドルを軸部１７から外し、腕を移動方向へ回してハンドルを無理のない位置にある軸部１７に通すという動作を繰り返してトラバースすることになる。
【００２５】
このようにして、プレーヤーＰは本発明の装置１０に取り付き、横移動したり、登ったりして遊ぶことができるもので、その間に３点確保しながら体重移動する技術を会得することとなる。また、壁面上部の手掛り手段１５に利用する軸部１７については、その周囲に動物や花、星、果物などの絵を描いておき、絵によって点数を決め到達点を競うというような遊び方ができる。
【００２６】
上記の形態は主として年少者を対象とした例であるが、本発明の装置１０は年少の者のみならず、大人を対象として構成し得るものでもあるので、その一例を図９によって説明する。図９は１０メートル近い高さの壁面を持ち、上部にオーバーハング２６を有するもので、トラバースよりはクライミングに向いた壁面運動装置３０の例であり、その壁面の上下左右の全面にほぼ均等にボルト挿通孔１６が相互に一定の間隔１ｄ又はその整数倍の間隔２ｄ、３ｄ・・・で配置されており、それらのボルト挿通孔１６には足掛り突起部１４及び手掛り手段１５が取り付けられている。このような装置では、人工登攀と同じように適切なセルフビレイを取ってプレイを実施するものとする。本発明の装置１０、３０ではホールドに対してハンドルという手掛り手段１５を用いているので、ホールドを指先で掴むよりも、ハンドルを握る力で保持できるので、初心者でもより確実なプレイができ、かつ、安全である。
【００２７】
従って、本発明によれば、
・移動面：身体全体を使って移動する運動によって腕力、脚力が増強される、
・平均性：身体のバランスを保つ工夫が養われる、
・操作面：いくつかの動きを組み合わせた運動ができるようになる、
等の体力増強に関する効果が得られる。また、
・体重を支えながら次の支点に移動するタイミングの判断が要求される、
・次の支点への移動が安全に行えるかどうかの判断が要求される、
等の知力が養われる。
【図面の簡単な説明】
【００２８】
【図１】本発明に係る壁面運動装置の一例を示す平面説明図である。
【図２】同上の装置の一例を示す正面説明図である。
【図３】同上の装置の一例を示す側面説明図である。
【図４】同上の要部を示すもので、Ａは正面図、Ｂは縦断面図である。
【図５】同じく要部を示すもので、Ａは正面図、Ｂは縦断面図である。
【図６】ハンドルの使用状態を示す斜視図である。
【図７】同じくハンドルを示すもので、Ａは側面図、Ｂは正面図である。
【図８】同じく本発明の装置の使用状態を示すもので、Ａは斜視説明図、Ｂは一部拡大正面図、Ｃは縦断面図である。
【図９】本発明に係る壁面運動装置の他の例を示すものでＡは正面図、Ｂは側面図である。
【符号の説明】
【００２９】
１０、３０  壁面運動装置
１１  壁面パネル
１２  フランジ部
１３  取り付け孔
１４  足掛り突起部
１５  手掛り手段
１６  ボルト挿通孔
１７  係合軸である有頭のボルト
１８  ボルト
１９、２０  ナット
２１  係合片
２２  グリップ
２３  係合孔
２４  マーカー
２５  マット
２６  オーバーハング
【図１】
2011078694.tif 000003
【図２】
2011078694.tif 000004
【図３】
2011078694.tif 000005
【図４】
2011078694.tif 000006
【図５】
2011078694.tif 000007
【図６】
2011078694.tif 000008
【図７】
2011078694.tif 000009
【図８】
2011078694.tif 000010
【図９】
2011078694.tif 000011